(57)【要約】      （修正有）【課題】設計の自由度を向上させることができると共に、製造コストを抑制することができる水栓装置を提供する。【解決手段】水栓装置１は、外殻部材８と、外殻部材の支柱部８ａ内に挿入されるケーシング部材４０と、ケーシング部材４０の一端側の内部に設けられた湯供給流路及び水供給流路４６と、ケーシング部材４０の内部に設けられ湯供給流路及び水供給流路４６の下流端とシングルレバーカートリッジ５４とを接続する接続部材５０を備える。ケーシング部材４０は、外殻部材の支柱部内に挿入可能な寸法で金属製の板材又は管材によって形成される。シングルレバーカートリッジ５４の一端側には、混合後の湯水が供給される湯水供給路が開口しており、接続部材５０には、その他端側において湯水供給路に連通すると共にその他端側からその外側まで延びる湯水通過路５０ｐが形成されている。【選択図】図３
2020007851.tif 000002
【特許請求の範囲】
【請求項１】
給湯源から供給される湯と給水源から供給される水とを混合した湯水を吐止水可能にする水栓装置であって、
概ね筒状の支柱部を備えた外殻部材と、
この外殻部材の支柱部内に挿入される金属製のケーシング部材と、
このケーシング部材の一端側の内部に設けられ、湯及び水をそれぞれ供給する一次側流路を形成する湯供給流路及び水供給流路と、
上記ケーシング部材の他端側の内部に設けられたシングルレバーカートリッジであって、上記湯供給流路及び上記水供給流路から供給される湯水の混合比と流量を調整する開閉弁と、この開閉弁の開閉操作を可能にする単一のレバーと、を備えた上記シングルレバーカートリッジと、
上記ケーシング部材の内部に設けられ、上記湯供給流路及び上記水供給流路のそれぞれの下流端と上記シングルレバーカートリッジとを接続する接続部材と、
上記シングルレバーカートリッジを上記接続部材に固定する固定部材と、
を有し、
上記ケーシング部材は、上記外殻部材の支柱部内に挿入可能な寸法で金属製の板材又は管材によって形成されており、
上記シングルレバーカートリッジの一端側には、上記開閉弁から湯水が供給される湯水供給路が開口しており、
上記接続部材には、当該接続部材の他端側において上記湯水供給路に連通すると共に、当該接続部材の他端側から当該接続部材の外部まで延びる湯水通過路が形成されている
ことを特徴とする水栓装置。
【請求項２】
上記ケーシング部材と上記外殻部材の支柱部との間に、筒状の二次側流路が形成されており、
上記ケーシング部材の一部に、上記接続部材の上記湯水通過路と上記二次側流路とを連通させる開口部が設けられている
ことを特徴とする請求項１に記載の水栓装置。
【請求項３】
上記ケーシング部材の一部は、上記開口部としての開口溝が存在するように断面Ｃ字状に構成されている
ことを特徴とする請求項２に記載の水栓装置。
【請求項４】
上記筒状の二次側流路の一側を封止する環状の一側シール部材と、
上記筒状の二次側流路の他側を封止する環状の他側シール部材と、
が更に設けられていることを特徴とする請求項２または３に記載の水栓装置。
【請求項５】
当該水栓装置が設置される設置面に固定される台座部材
を更に備え、
上記ケーシング部材の一端側は、上記台座部材に固定されており、
上記外殻部材の支柱部も、上記台座部材に取り付けられており、
上記一側シール部材は、上記台座部材と上記外殻部材の支柱部との間であって軸方向に上記ケーシング部材より一側の位置に配置されている
ことを特徴とする請求項４に記載の水栓装置。
【請求項６】
上記他側シール部材は、上記ケーシング部材と上記外殻部材の支柱部との間であって軸方向で上記接続部材に対応する位置に配置されている
ことを特徴とする請求項４または５に記載の水栓装置。
【請求項７】
軸方向に上記他側シール部材が配置される位置において、上記外殻部材の支柱部は縮径されている
ことを特徴とする請求項６に記載の水栓装置。
【発明の詳細な説明】
【技術分野】
【０００１】
本発明は、水栓装置及びその製造方法に係り、特に、給湯源から供給される湯と給水源から供給される水とを混合した湯水を吐止水可能にする水栓装置及びその製造方法に関する。
【背景技術】
【０００２】
従来から、給湯源から供給される湯と給水源から供給される水とを混合した湯水を吐止水可能にする水栓装置として、例えば、特許文献１に記載されているように、水栓装置の種類に応じた形状に形成された外殻部材を備えているものが知られている。
また、この従来の水栓装置の外殻部材の内部には、別体のケーシング部材が挿入されている。このケーシング部材には、水栓機能ユニットが内蔵されており、この水栓機能ユニットは、給水源及び給水源のそれぞれから一次側流路により供給された湯と水とを混合し、この混合した湯水を吐止水する機能を備えている。
【先行技術文献】
【特許文献】
【０００３】
【特許文献１】欧州特許出願公開第２５８６９１９号明細書
【発明の概要】
【発明が解決しようとする課題】
【０００４】
しかしながら、上述した従来の水栓装置においては、外殻部材の内部に挿入されているケーシング部材が樹脂材料で形成されているため、水栓装置の種類に応じた外殻部材の寸法や形状に応じて、射出成形用の型を用意する必要があり、製造コストがかかるという問題がある。
また、従来の水栓装置の樹脂製のケーシング部材については、金属製のものに比べて強度が低く、経年変化等による耐久性も低いという問題もある。これにより、長期的な安全性を確保するためには、点検や部品交換等のメンテナンスにおいてもコストがかかるという問題がある。
【０００５】
一方、従来の水栓装置のケーシング部材について、仮に、樹脂材料とは異なる銅合金等の金属を用いて鋳造した場合には、銅合金から鉛成分が溶出することを規制する対策が必要となるという問題や、ケーシング部材のサイズ自体も大型化するという問題、或いは、銅価格の相場変動に影響を受け易いという問題もある。
また、常時湯水に晒される水栓装置の事情を考慮し、ケーシング部材として耐食性が高いステンレス材料を採用した場合には、ステンレス材料が高い加工精度で加工することが難しいという問題もある。
したがって、脱銅合金や脱鋳物を実現し、銅合金以外の素材を活用し、水栓装置の種類に応じて様々な仕様に対しても、いかに製造コストを抑制しつつ、設計の自由度を高めていくかが、近年要請された課題となっている。
【０００６】
特に、シングルレバーカートリッジを用いる場合、湯供給流路及び水供給流路のそれぞれの下流端と当該シングルレバーカートリッジとを接続する接続部材は、軸シールの配置の都合上、シングルレバーカートリッジよりも太くなる。従って、シングルレバーカートリッジから接続部材の下方に湯水を案内する場合に、接続部材の周囲を迂回する流路を利用すると、水栓装置の全体が太くなってしまう。更に、十分な流量の湯水を案内しようとすると、流路を厚くする必要が生じ、水栓装置を更に太くする必要が生じてしまう。
【０００７】
そこで、本発明は、上述した従来技術の問題や近年要請された課題を解決するためになされたものであり、設計の自由度を向上させることができると共に、製造コストを抑制することができる水栓装置及びその製造方法を提供することを目的としている。
更に、本発明は、シングルレバーカートリッジから接続部材の下方に十分な流量の湯水を案内する場合でも、水栓装置が太くなることがない水栓装置及びその製造方法を提供することを目的としている。
【課題を解決するための手段】
【０００８】
上述した課題を解決するために、本発明は、給湯源から供給される湯と給水源から供給される水とを混合した湯水を吐止水可能にする水栓装置であって、概ね筒状の支柱部を備えた外殻部材と、この外殻部材の支柱部内に挿入される金属製のケーシング部材と、このケーシング部材の一端側の内部に設けられ、湯及び水をそれぞれ供給する一次側流路を形成する湯供給流路及び水供給流路と、上記ケーシング部材の他端側の内部に設けられたシングルレバーカートリッジであって、上記湯供給流路及び上記水供給流路から供給される湯水の混合比と流量を調整する開閉弁と、この開閉弁の開閉操作を可能にする単一のレバーと、を備えた上記シングルレバーカートリッジと、上記ケーシング部材の内部に設けられ、上記湯供給流路及び上記水供給流路のそれぞれの下流端と上記シングルレバーカートリッジとを接続する接続部材と、上記シングルレバーカートリッジを上記接続部材に固定する固定部材と、を有し、上記ケーシング部材は、上記外殻部材の支柱部内に挿入可能な寸法で金属製の板材又は管材によって形成されており、上記シングルレバーカートリッジの一端側には、上記開閉弁から湯水が供給される湯水供給路が開口しており、上記接続部材には、当該接続部材の他端側において上記湯水供給路に連通すると共に、当該接続部材の他端側から当該接続部材の外部（一端側や側面）まで延びる湯水通過路が形成されていることを特徴とする水栓装置である。
【０００９】
このように構成された本発明においては、水栓装置を組み立てる際、水栓装置の種類に応じた形状に形成された外殻部材の概ね筒状の支柱部内に対して、概ね少なくとも半筒状の金属製のケーシング部材が挿入される。その際、予め、金属製のケーシング部材により、水栓装置の種類に応じた形状の外殻部材に応じて、その支柱部内の軸方向のスペースや距離寸法を定めることができると共に、支持部内に挿入されている内部構造の強度を高めることができる。
さらに、金属製のケーシング部材については、水栓装置の種類に応じた形状の外殻部材の支柱部内に挿入可能に金属製の板材又は管材によって概ね少なくとも半筒状に形成することができる。これにより、ケーシング部材が樹脂材料で射出成形された場合や金属材料で鋳造成形された場合に比べて、水栓装置の種類に応じた外殻部材の形状毎にケーシング部材の成形用の型を用意する必要がないため、比較的安価な加工方式でケーシング部材の寸法や形状を容易に調整することができる。
また、ケーシング部材が金属製の板材又は管材によって概ね少なくとも半筒状に形成されるため、ケーシング部材について、必要な強度を保ちながら、薄く形成することもできる。これにより、水栓装置の内部寸法を抑制することができる。
さらに、水栓装置の種類に応じた様々な形状の外殻部材に対しても、ある程度共通化させたケーシング部材を用意しておけば、このケーシング部材の一部に切断加工等を施すだけで、比較的安価な加工方式で所望の軸方向の寸法に調整することができる。これにより、例えば台座部材と接続部材との間のケーシング部材の軸方向の寸法距離についても、ケーシング部材の軸方向の寸法に応じて自由に設定することができる。また、軸方向の寸法を調整した状態のケーシング部材を外殻部材の支柱部内に挿入するだけで、簡単に組み付けることができる。
これらの結果、水栓装置の設計の自由度を向上させることができると共に、製造コストを抑制することができる。
【００１０】
また、本発明によれば、シングルレバーカートリッジの一端側に、開閉弁から湯水が供給される湯水供給路が開口しており、接続部材には、当該接続部材の他端側において湯水供給路に連通すると共に、当該接続部材の他端側から当該接続部材の外側まで延びる湯水通過路が形成されている。これにより、シングルレバーカートリッジから接続部材の他端側まで十分な流量の湯水を案内する場合でも、接続部材を迂回する流路を利用する必要がないため、水栓装置を太くする必要がない。
【００１１】
本発明において、好ましくは、上記ケーシング部材と上記外殻部材の支柱部との間に、筒状の二次側流路が形成されており、上記ケーシング部材の一部に、上記接続部材の上記湯水通過路と上記二次側流路とを連通させる開口部が設けられている。
これによれば、シングルレバーカートリッジから接続部材の他端側に案内された湯水を、筒状の二次側流路を介して、例えば外殻部材の支柱部の側面に設けられたスパウト部の方へ更に導くことが容易である。
【００１２】
この場合において、上記ケーシング部材の一部は、上記開口部としての開口溝が存在するように断面Ｃ字状に構成されていることが好ましい。
これによれば、当該ケーシング部材の一部を、金属製の板材から容易に製造することができる。
【００１３】
また、この場合において、上記筒状の二次側流路の一側を封止する環状の一側シール部材と、上記筒状の二次側流路の他側を封止する環状の他側シール部材と、が更に設けられていることが好ましい。
これによれば、筒状の二次側流路を高い自由度で設計することができ、例えばスパウト部の配置等を高い自由度で設計することができる。また、支柱部に対してスパウト部が回転する態様等の採用についても、高い自由度で設計することができる。
【００１４】
また、本発明において、水栓装置が設置される設置面に固定される台座部材を更に備え、上記ケーシング部材の一端側は、上記台座部材に固定されており、上記外殻部材の支柱部も、上記台座部材に取り付けられていることが好ましい。
この場合、例えば、上記一側シール部材は、上記台座部材と上記外殻部材の支柱部との間であって軸方向に上記ケーシング部材より一側の位置に配置され得る。
これによれば、ケーシング部材の一端側の領域の周り全体を、筒状の二次側流路として利用することができる。
【００１５】
また、例えば、上記他側シール部材は、上記ケーシング部材と上記外殻部材の支柱部との間であって軸方向に上記接続部材に対応する位置に配置され得る。
もっとも、上記他側シール部材は、上記ケーシング部材と上記外殻部材の支柱部との間であって軸方向に上記接続部材よりも他側の位置に配置されてもよい。
【００１６】
また、軸方向に上記他側シール部材が配置される位置において、上記外殻部材の支柱部は縮径されていることが好ましい。
これによれば、当該位置より一側の領域において外殻部材の支柱部内はより太いため、ケーシング部材及び他側シール部材に対して、外殻部材の支柱部をその一側端の方から被せていく作業が容易である。
【発明の効果】
【００１７】
本発明の水栓装置及びその製造方法によれば、設計の自由度を向上させることができると共に、製造コストを抑制することができる。
更に、本発明の水栓装置及びその製造方法によれば、シングルレバーカートリッジから接続部材の他端側まで十分な流量の湯水を案内する場合でも、接続部材を迂回する流路を利用する必要がないため、水栓装置を太くする必要がない。
【図面の簡単な説明】
【００１８】
【図１】本発明の第１実施形態による水栓装置を斜め前方から見た概略斜視図である。
【図２】本発明の第１実施形態による水栓装置全体の分解斜視図である。
【図３】本発明の第１実施形態による水栓装置の中央側面断面図である。
【図４】本発明の第１実施形態による水栓装置の水栓機能ユニットを分解した斜視図である。
【図５】本発明の第１実施形態による水栓装置の機能部ユニットと外殻部材との分解縦断面図である。
【図６】本発明の第１実施形態による水栓装置の水栓機能ユニットの正面断面図であり、湯側及び水側のそれぞれの一次側流路の縦断面を示す。
【図７】図３に示す本発明の第１実施形態による水栓装置の中央側面断面図において、水栓機能ユニットの上方部分を拡大した部分拡大断面図である。
【図８】本発明の第１実施形態による水栓装置のケーシング部材の分解斜視図である。
【図９】図８のＩＸ−ＩＸ線に沿った断面図である。
【図１０】本発明の第１実施形態による水栓装置の下側ケーシング部材において、穴開け加工により形成された場合の下方ピン係合穴（又は上方ピン係合穴）の部分を概略的に示した図である。
【図１１】本発明の第１実施形態による水栓装置の下側ケーシング部材において、曲げ加工により形成された場合の下方ピン係合穴（又は上方ピン係合穴）の部分を概略的に示した図である。
【図１２】本発明の第２実施形態による水栓装置のケーシング部材の分解斜視図である。
【図１３】図１２のＸＩＩＩ−ＸＩＩＩ線に沿った断面図である。
【図１４】本発明の第３実施形態による水栓装置の中央側面中央断面図において、図７と同様に水栓機能ユニットの上方部分を拡大した部分拡大断面図である。
【図１５】本発明の第３実施形態による水栓装置の水栓機能ユニットを分解した斜視断面図である。
【発明を実施するための形態】
【００１９】
以下、添付図面を参照して本発明の第１実施形態による水栓装置について説明する。
まず、図１は、本発明の第１実施形態による水栓装置を斜め前方から見た概略斜視図である。
図１に示すように、本発明の第１実施形態による水栓装置１は、給湯源（図示せず）から供給される湯と給水源（図示せず）から供給される水とを混合して吐止水する、いわゆる、「シングルレバー式」と呼ばれる水栓装置であり、台所のシンク又は洗面台のカウンター等の設置面Ｆ１上に設置されている。
すなわち、このシングルレバー式の水栓装置１においては、いわゆる、「シングルレバー」と呼ばれる単一の操作ハンドル２が手動で回動操作されることにより、流量と温度が調整された湯水がスパウト４の吐水口６から吐止水されるようになっている。
【００２０】
例えば、図１に示すように、本実施形態の水栓装置１において、まず、操作ハンドル２が最下方の止水操作位置に設定されている場合には、スパウト４の吐水口６から吐出される湯水が止水されるようになっている。
また、図１に示すように、操作ハンドル２が止水操作位置から上方の操作位置に回動操作された場合には、スパウト４の吐水口６から吐出される湯水が吐水状態に設定されるようになっている。
すなわち、操作ハンドル２は、吐水状態において、より上方（図１に示す矢印「開」の方向）に回動操作される程、湯水の流量が大きく設定され、より下方（図１に示す矢印「閉」の方向）に回動操作される程、湯水の流量が小さく設定されるようになっている。
【００２１】
さらに、図１に示すように、操作ハンドル２は、水栓装置１の鉛直方向に延びる中心軸線（回転中心軸線Ａ１）を中心に水側（図１に示す矢印「Ｃ」側）に回動操作された場合には、スパウト４の吐水口６から吐出される湯水の温度が低温側に設定されるようになっている。
一方、図１に示すように、操作ハンドル２が回転中心軸線Ａ１を中心に湯側（図１に示す矢印「Ｈ」側）に回動操作された場合には、スパウト４の吐水口６から吐出される湯水の混合比を湯が大きく設定されるようになっている。
【００２２】
つぎに、図２〜図９により、本発明の第１実施形態による水栓装置の内部構造について具体的に説明する。
図２は、本発明の第１実施形態による水栓装置全体の分解斜視図である。また、図３は、本発明の第１実施形態による水栓装置の中央側面断面図である。
まず、図２及び図３に示すように、本実施形態の水栓装置１は、その種類又は仕様に応じた形状に形成された中空の外殻部材８（外殻ユニットの一要素）を備えている。この外殻部材８は、上下方向に概ね筒状に延びる支柱部８ａ、及び、この支柱部８ａの側面から外側に延びるスパウト部８ｂをそれぞれ備えている。
なお、外殻部材８については、金属材料で形成されていてもよいし、樹脂材料で形成されていてもよい。
【００２３】
つぎに、図２及び図３に示すように、本実施形態の水栓装置１は、外殻部材８の下方側（上流側）において、湯供給管１０、水供給管１２、固定金具１４（把持金具１４ａ、締結金具１４ｂ）、及び、台座部材１６をそれぞれ備えている。
図２及び図３に示すように、台座部材１６は、水栓装置１の設置面Ｆ１に配置された状態で固定金具１４の馬蹄形の把持金具１４ａ及び締結金具１４ｂにより固定されるようになっている。
また、図２に示すように、台座部材１６には、縦方向に貫く通湯穴１６ａ及び通水穴１６ｂがそれぞれ形成されている。通湯穴１６ａには、給湯器等の給湯源（図示せず）から湯を供給する湯供給管１０が下方から接続されている。同様に、通水穴１６ｂには、水道等の給水源（図示せず）から水を供給する水供給管１２が下方から接続されている。
さらに、図２及び図３に示すように、本実施形態の水栓装置１は、外殻部材８の支柱部８ａの内部において、詳細は後述する水栓機能ユニット１８を備えている。
【００２４】
つぎに、図４は、本発明の第１実施形態による水栓装置１の水栓機能ユニット１８を分解した斜視図である。また、図５は、本発明の第１実施形態による水栓装置１の機能部ユニット１９と外殻部材８との分解縦断面図である。
図４及び図５に示すように、本実施形態の水栓装置１は、水栓機能ユニット１８の外側において、下側上方シール保持部材２６、上方シール部材２８、及び、上側上方シール保持部材３０をそれぞれ備えている。水栓機能ユニット１８に、下側上方シール保持部材２６、上方シール部材２８、及び、上側上方シール保持部材３０を装着させた構成が、機能部ユニット１９である。
また、図４及び図５に示すように、上方シール部材２８は、水栓機能ユニット１８の外側面と外殻部材８の支柱部８ａの内側面との間を水密にシールするものである。
さらに、図４及び図５に示すように、下側上方シール保持部材２６及び上側上方シール保持部材３０のそれぞれは、上方シール部材２８を保持するためのものである。
下側上方シール保持部材２６は、弾性的に拡径することで水栓機能ユニット１８（ケーシング部材４０：図４参照）に対して着脱可能な環状部材であり、上側上方シール保持部材３０は、同様に弾性的に拡径することで水栓機能ユニット１８（ケーシング部材４０：図４参照）に対して着脱可能な筒状部材であり、軸方向に両者の間で上方シール部材２８を位置決めできるようになっている。
【００２５】
また、図５に示すように、外殻部材８の支柱部８ａは、略円筒形状の機能部収容空間を区画しており、機能部ユニット１９は、当該機能部収容空間内に収容されるようになっている。図５から分かるように、外殻部材８は、機能部ユニット１９の上方から当該機能部ユニット１９に被さるように取り外し可能に装着可能となっている。外殻部材８の支柱部８ａは、通常は樹脂製であって、美観に優れた円筒状のカバー部８ｃ（特殊樹脂または金属等）によって外周面を覆われている。また、軽量化及び材料コスト低減等のため、支柱部８ａの内部には空洞室が設けられ得る（強度維持のため所定間隔のリブ壁で区画され得る）。
【００２６】
また、図３及び図５に示すように、本実施形態の水栓装置１は、外殻部材８のスパウト部８ｂ内において、外殻部材８の支柱部８ａの側面に形成された挿入孔６２内に固定された二次側アダプタ部材６４と、当該二次側アダプタ部材６４に接続されスパウト流路６８ａを形成するスパウト側流路形成部材６８と、吐水口６を形成する吐水口形成部材７０と、をそれぞれ備えている。
外殻部材８に、二次側アダプタ部材６４、スパウト側流路形成部材６８、及び、吐水口形成部材７０を装着させた構成が、外殻ユニットである。
外殻ユニットの各要素は、機能部ユニット１９に装着する前に互いに組み付けられることが通常であるが、幾つかのサブユニットが機能部ユニット１９に順次に装着されながら互いに組み付けられてもよい。
【００２７】
さらに、図２及び図３に示すように、本実施形態の水栓装置１は、外殻部材８とその上方の操作ハンドル２との上下方向の間において、下方から上方に向って、Ｃリング３２、固定部材３６、及び、留め具３８（ビス３８ａ、キャップ３８ｂ）をそれぞれ備えている。
これらの部材３２，３６，３８については、外殻部材８の支柱部８ａ内に挿入された機能部ユニット１９について、上方から水密に保持するものである。
【００２８】
また、図２及び図３に示すように、外殻部材８と水栓機能ユニット１８（ケーシング部材４０）との間に概ね筒状の二次側流路７８が形成されている。当該二次側流路７８は、水栓機能ユニット１８（ケーシング部材４０）を周方向に取り囲む筒状空間として形成されており、外殻部材８の支柱部８ａの側面に形成された挿入孔６２を介して、二次側アダプタ部材６４の流路６４ａと連通している。
【００２９】
つぎに、図６は、本発明の第１実施形態による水栓装置１の水栓機能ユニット１８の正面断面図であり、湯側及び水側のそれぞれの一次側流路の縦断面を示す。また、図７は、図３に示す本発明の第１実施形態による水栓装置１の中央側面断面図において、水栓機能ユニット１８の上方部分を拡大した部分拡大断面図である。
まず、図３〜図７に示すように、本実施形態の水栓装置１の水栓機能ユニット１８は、詳細については後述する金属製のケーシング部材４０を備えている。この金属製のケーシング部材４０は、外殻部材８の支柱部８ａ内に挿入された状態で、その一端側（下端側）が台座部材１６に対して固定されている。
【００３０】
つぎに、図４及び図６に示すように、水栓機能ユニット１８は、ケーシング部材４０の内部において、下方から上方に且つ内側から外側に向って（或いは、上流側から下流側に向って）、軸シール部材４２（湯側軸シール部材４２ａ、水側軸シール部材４２ｂ）、湯供給管４４、水供給管４６、軸シール部材４８（湯側軸シール部材４８ａ、水側軸シール部材４８ｂ）、一次側アダプタ部材５０、弁座部材５２、シングルレバーカートリッジ５４（固定弁体５４ａ、可動弁体５４ｂ、単一のレバー５４ｃ）、及び、カートリッジ押さえ部材５６をそれぞれ備えている。
また、図４及び図５に示すように、水栓機能ユニット１８は、ケーシング部材４０の外側面において、台座部材保持用の機械的係合ピン５８、及び、一次側アダプタ部材保持用の機械的係合ピン６０をそれぞれ備えている。
【００３１】
また、図４及び図６に示すように、湯供給管４４及び水供給管４６のそれぞれは、下方の台座部材１６の通湯穴１６ａ及び通水穴１６ｂのそれぞれと、上方の一次側アダプタ部材５０の通湯穴５０ａ及び通水穴５０ｂのそれぞれとを互いに連通させる一次側通湯路（湯供給流路）及び一次側通水路（水供給流路）を形成している。
また、図６に示すように、湯供給管４４は、下側被接続部４４ａ及び上側被接続部４４ｂをそれぞれ備えている。湯供給管４４の下側被接続部４４ａは、台座部材１６の通湯穴１６ａの上端（下流端）の湯側接続受け部１６ｃ内に湯側軸シール部材４２ａを介して差し込まれて水密に接続され、いわゆる、軸シールされている。一方、湯供給管４４の上側被接続部４４ｂは、一次側アダプタ部材５０の通湯穴５０ａの下端（上流端）の湯側接続受け部５０ｃ内に湯側軸シール部材４８ａを介して差し込まれて水密に接続され、いわゆる、軸シールされている。
同様に、図６に示すように、水供給管４６は、下側被接続部４６ａ及び上側被接続部４６ｂをそれぞれ備えている。水供給管４６の下側被接続部４６ａは、台座部材１６の通水穴１６ｂの上端（下流端）の水側接続受け部１６ｄ内に水側軸シール部材４２ｂを介して差し込まれて水密に接続され、いわゆる、軸シールされている。一方、水供給管４６の上側被接続部４６ｂは、一次側アダプタ部材の通水穴５０ｂの下端（上流端）の水側接続受け部５０ｄ内に水側軸シール部材４８ｂを介して水密に接続され、いわゆる、軸シールされている。
【００３２】
つぎに、図６に示すように、台座部材１６及び一次側アダプタ部材５０の各接続受け部１６ｃ，１６ｄ，５０ｃ，５０ｄにおいて、湯供給管４４及び水供給管４６の各被接続部４４ａ，４４ｂ，４６ａ，４６ｂに対するクリアランスｄ１，ｄ２，ｄ３，ｄ４がそれぞれ設けられている。
これらのクリアランスｄ１，ｄ２，ｄ３，ｄ４により、湯供給管４４の各被接続部４４ａ，４４ｂ及び水供給管４６の各被接続部４６ａ，４６ｂが、台座部材１６の各接続受け部１６ｃ，１６ｄ及び一次側アダプタ部材５０の各接続受け部５０ｃ，５０ｄにおける各クリアランスｄ１〜ｄ４の範囲内で水密状態を保ちながら移動することができるようになっている。
【００３３】
つぎに、図４〜図７に示すように、一次側アダプタ部材５０の上面には、弁座部材５２が水密に接続されており、この弁座部材５２の上面には、シングルレバーカートリッジ５４が水密に接続されている。これらの一次側アダプタ部材５０及び弁座部材５２のそれぞれは、ポリフェニレンサルファイド（ＰＰＳ）等の樹脂材料で概ね円柱状に形成されており、互いに別部材となっている。
また、これらの一次側アダプタ部材５０及び弁座部材５２は、詳細は後述する上側ケーシング部材７４の底部７４ａを間に挟みつつ、湯供給管４４及び水供給管４６のそれぞれの下流端とシングルレバーカートリッジ５４とを互いに水密に接続する接続部材として機能するようになっている。
ここで、図４〜図７に示すように、シングルレバーカートリッジ５４の構造については、周知のシングルレバーカートリッジの構造と同様であるため、詳細な説明は省略するが、代表的には、下方から上方に向って、固定弁体５４ａ、可動弁体５４ｂ、及び、レバー５４ｃをそれぞれ備えている。
【００３４】
また、図４〜図７に示すように、固定弁体５４ａは、シングルレバーカートリッジ５４内の底部に固定されている。
つぎに、図６及び図７に示すように、可動弁体５４ｂは、固定弁体５４ａの上面に対して並進及び回転する摺動が可能に配置されている。
さらに、図６及び図７に示すように、レバー５４ｃは、その下端が可動弁体５４ｂに連結されており、上端が操作ハンドル２に連結されている単一の軸部材となっている。
なお、図６に示すように、固定弁体５４ａ及び可動弁体５４ｂのそれぞれには、弁座部材５２の通湯穴５２ａ及び通水穴５２ｂのそれぞれと連通する一次側流路である通湯路５４ｄ及び通水路５４ｅがそれぞれ形成されている。
また、図７に示すように、固定弁体５４ａ及び可動弁体５４ｂのそれぞれには、通湯路５４ｄ及び通水路５４ｅのそれぞれから供給された湯と水とが混合された湯水を供給する湯水供給路５４ｆがそれぞれ形成されている。通湯路５４ｄ及び通水路５４ｅから湯水供給路５４ｆに供給される湯水の混合比と流量は、可動弁体５４ｂの位置に応じて調整されるようになっている。
また、図５及び図７に示すように、シングルレバーカートリッジ５４の湯水供給路５４ｆは、シングルレバーカートリッジ５４の下端面において流出口５４ｇとして開口しており、弁座部材５２の湯水通過路５２ｐ及び一次側アダプタ部材５０の湯水通過路５０ｐを介して、ケーシング部材４０の内部と連通している。
【００３５】
そして、前述のように、外殻部材８とケーシング部材４０との間に概ね筒状の二次側流路７８が形成されている。また、ケーシング部材４０の一部に、ケーシング部材４０の内部と二次側流路７８とを連通させる開口部Ｇ１が設けられている。これにより、シングルレバーカートリッジ５４の湯水供給路５４ｆから供給される湯水は、流出口５４ｇ、弁座部材５２の湯水通過路５２ｐ、一次側アダプタ部材５０の湯水通過路５０ｐ、ケーシング部材４０の内部、開口部Ｇ１及び二次側流路７８を介して、二次側アダプタ部材６４の流路６４ａへと導かれるようになっている。
本実施形態では、図３に示すように、二次側流路７８の上端は環状の上方シール部材２８によって規定されており、二次側流路７８の下端は環状の下方シール部材２２によって規定されている。
より詳細には、上方シール部材２８は、ケーシング部材４０と外殻部材８の支柱部８ａとの間であって軸方向に弁座部材５２に対応する位置に配置されている。
一方、下方シール部材２２は、台座部材１６と外殻部材８の支柱部８ａとの間であって軸方向にケーシング部材４０より下方側の位置に配置されている。
また、図３及び図７に示すように、外殻部材８の支柱部８ａが規定する機能部収容空間は、軸方向に上方シール部材２８が配置される位置及び当該位置より上方の領域において、縮径されている。
【００３６】
つぎに、図８及び図９を参照して、本実施形態による水栓装置１のケーシング部材４０の詳細について、このケーシング部材４０の加工方法と共に説明する。
図８は、本発明の第１実施形態による水栓装置１のケーシング部材４０の分解斜視図である。また、図９は、図８のＩＸ−ＩＸ線に沿った断面図である。
図４、図８及び図９に示すように、本実施形態による水栓装置１の金属製のケーシング部材４０は、下方から上方に向って、下側ケーシング部材７２、上側ケーシング部材７４、及び、上部円環部材７６をそれぞれ備えている。
また、これらの部材７２，７４，７６の金属材料としては、耐食性が比較的高く、耐久性や強度等も比較的高いステンレス材料（例えば、ＳＵＳ３０４等）等が用いられている。
しかしながら、本実施形態による水栓装置１の金属製のケーシング部材４０に用いられる金属材料については、耐食性が比較的高く、耐久性や強度等も比較的高い材料であれば、ステンレス材料以外の他の金属材料であってもよい。
そして、図４、図８及び図９に示すように、下側ケーシング部材７２の上端と上側ケーシング部材７４の下端とは、溶接加工等により互いに一体的に接続されていると共に、上側ケーシング部材７４の上端と上部円環部材７６の下端とは、溶接加工等により互いに一体的に接続されている。
【００３７】
ここで、図８及び図９に示すように、上側ケーシング部材７４と溶接される前の状態の下側ケーシング部材７２おいては、外殻部材８の支柱部８ａ内に挿入可能な寸法で金属製の板材又は管材によってほぼ円筒状に形成されている。
例えば、ほぼ円筒状の金属製の下側ケーシング部材７２を成形する際には、金属製の薄板材について、ロール成形等の曲げ加工を行うことにより湾曲状に成形し、最終的には、外殻部材８の支柱部８ａ内に挿入可能な寸法でほぼ円筒状に形成する。
或いは、予め外殻部材８の支柱部８ａ内に挿入可能な寸法径の金属製の管材を用意し、この管材について、切断加工又は切削加工を行うことにより、外殻部材８の支柱部８ａ内に挿入可能な軸方向の長さ寸法に調整する。
すなわち、金属製の下側ケーシング部材７２を成形する際には、鋳型等を用いる鋳造加工は採用されていないため、水栓装置１の種類に応じた外殻部材８の形状毎に下側ケーシング部材７２の成形用の型を用意する必要がない。
【００３８】
つぎに、図４、図８及び図９に示すように、下側ケーシング部材７２の側面の下方において、穴開け加工等により径方向に貫く下方ピン係合穴７２ａが周方向に間隔を置いて複数形成されている。
これにより、図３、図４、図８及び図９に示すように、台座部材保持用の機械的係合ピン５８は、下方ピン係合穴７２ａに対して外側から挿入されるようになっている。そして、この機械的係合ピン５８は、下方ピン係合穴７２ａに係合した後、その内側端部が台座部材１６の側面の係合穴１６ｅに係合するようになっている。
したがって、これらの下側ケーシング部材７２の下方ピン係合穴７２ａ、台座部材保持用の機械的係合ピン５８、及び、台座部材１６の係合穴１６ｅは、下側ケーシング部材７２が機械的係合により台座部材１６を保持可能にする機械的係合手段として機能するようになっている。
【００３９】
同様に、図４、図８及び図９に示すように、下側ケーシング部材７２の側面の上方においても、穴開け加工等により径方向に貫く上方ピン係合穴７２ｂが周方向に複数形成されている。
これにより、図３、図４、図８及び図９に示すように、一次側アダプタ部材保持用の機械的係合ピン６０は、上方ピン係合穴７２ｂに対して外側から挿入されるようになっている。そして、この機械的係合ピン６０は、上方ピン係合穴７２ｂに係合した後、その内側端部が一次側アダプタ部材５０の側面の係合穴５０ｅに係合するようになっている。
したがって、これらの下側ケーシング部材７２の上方ピン係合穴７２ｂ、一次側アダプタ部材保持用の機械的係合ピン６０、及び、一次側アダプタ部材５０の係合穴５０ｅは、下側ケーシング部材７２が機械的係合により一次側アダプタ部材５０を保持可能にする機械的係合手段として機能するようになっている。
なお、本実施形態の水栓装置では、下側ケーシング部材７２の側面について穴開け加工を行うことにより、下方ピン係合穴７２ａや上方ピン係合穴７２ｂを下側ケーシング部材７２の機械的係合部とするような形態を採用している。
しかしながら、下側ケーシング部材７２の機械的係合部として、下方ピン係合穴７２ａや上方ピン係合穴７２ｂの代わりに、下側ケーシング部材７２について曲げ加工を行うことにより、下側ケーシング部材７２の側面に機械的係合を可能にする係合面等を設けた形態を採用してもよい。
【００４０】
ここで、図１０は、本発明の第１実施形態による水栓装置１の下側ケーシング部材７２において、穴開け加工により形成された場合の下方ピン係合穴７２ａ（又は上方ピン係合穴７２ｂ）の部分を概略的に示した図である。
まず、図１０に示すように、下側ケーシング部材７２の下方ピン係合穴７２ａ及び上方ピン係合穴７２ｂのそれぞれが穴開け加工により形成された場合、下側ケーシング部材７２の下方ピン係合穴７２ａ（又は上方ピン係合穴７２ｂ）の内周面上の任意の各点Ｑ１について、それぞれ下側ケーシング部材７２の軸方向の中心軸線Ａ１と平行に移動させることにより、下側ケーシング部材７２の軸方向の中心軸線Ａ１に対して垂直な任意の仮想平面Ｓ０上に投影させる。
このとき、仮想平面Ｓ０上には、各点Ｑ１の鉛直方向に位置する各仮想点Ｑ２が存在し、これらの各点Ｑ２の集合をすべて結んだ状態の平面が、いわゆる、投影面Ｓ１，Ｓ２として、仮想平面Ｓ０上に形成される。
すなわち、本実施形態の水栓装置１においては、穴開け加工により形成された下側ケーシング部材７２の下方ピン係合穴７２ａ及び上方ピン係合穴７２ｂのそれぞれが、下側ケーシング部材７２の軸方向の中心軸線Ａ１に対して垂直な任意の平面Ｓ０に投影面Ｓ１，Ｓ２をそれぞれ形成することが可能である。
また、図１０に示すように、下側ケーシング部材７２の下方ピン係合穴７２ａ及び上方ピン係合穴７２ｂのそれぞれに対して上下に位置する側壁については、例えば、穴開け加工時の切削工具（図示せず）等によるせん断力ｆ１等が下側ケーシング部材７２の軸方向の中心軸線Ａ１に対して垂直な方向（下側ケーシング部材７２の径方向Ａ２）に作用するため、互いにＡ２方向にずれる傾向にある。
さらに、図１０に示すように、下側ケーシング部材７２の下方ピン係合穴７２ａ及び上方ピン係合穴７２ｂのそれぞれの上下の側壁が互いにＡ２方向にずれている状態では、各投影面Ｓ１，Ｓ２における下側ケーシング部材７２の径方向Ａ２の幅Ｗ１は、下側ケーシング部材７２の側壁の厚みＷ２よりも大きくなっている（Ｗ１＞Ｗ２）。
したがって、図１０に示すように、下側ケーシング部材７２の下方ピン係合穴７２ａ及び上方ピン係合穴７２ｂのそれぞれが、投影面Ｓ１，Ｓ２のそれぞれを形成することができるということは、各係合穴７２ａ，７２ｂに係合する各機械的係合ピン５８，６０が下側ケーシング部材７２に対して鉛直方向（中心軸線Ａ１方向）に移動しようとした際に、下側ケーシング部材７２の各係合穴７２ａ，７２ｂの内周面が、各機械的係合ピン５８，６０との機械的係合が可能な面を形成していることは当然であるが、各機械的係合ピン５８，６０を介しながら、台座部材１６及び一次側アダプタ部材５０のそれぞれとの機械的係合が可能な面を形成していることにもなる。
【００４１】
つぎに、図１１は、本発明の第１実施形態による水栓装置１の下側ケーシング部材７２において、曲げ加工により形成された場合の下方ピン係合穴７２ａ（又は上方ピン係合穴７２ｂ）の部分を概略的に示した図である。
まず、図１１に示すように、下側ケーシング部材７２の下方ピン係合穴７２ａ及び上方ピン係合穴７２ｂのそれぞれが曲げ加工により形成された場合、下側ケーシング部材７２の側壁の一部分Ｂ１が、下側ケーシング部材７２の径方向の内側方向Ａ２に向って押圧力（曲げ力ｆ２）で押圧されることにより折り曲げられている。
つぎに、図１１に示すように、下側ケーシング部材７２の下方ピン係合穴７２ａ（又は上方ピン係合穴７２ｂ）の内周面上の任意の点Ｑ３について、それぞれ下側ケーシング部材７２の軸方向の中心軸線Ａ１と平行に移動させることにより、下側ケーシング部材７２の軸方向の中心軸線Ａ１に対して垂直な任意の仮想平面Ｓ０上に投影させる。
このとき、仮想平面Ｓ０上には、各点Ｑ３の鉛直方向に位置する仮想点Ｑ４が存在し、これらの各点Ｑ４の集合をすべて結んだ状態の平面が、いわゆる、投影面Ｓ３，Ｓ４として、仮想平面Ｓ０上に形成される。
すなわち、本実施形態の水栓装置１においては、曲げ加工により形成された下側ケーシング部材７２の下方ピン係合穴７２ａ及び上方ピン係合穴７２ｂのそれぞれが、下側ケーシング部材７２の軸方向の中心軸線Ａ１に対して垂直な任意の平面Ｓ０に投影面Ｓ３，Ｓ４をそれぞれ形成することが可能である。
また、図１１に示すように、各投影面Ｓ３，Ｓ４における下側ケーシング部材７２の径方向Ａ２の幅Ｗ３は、下側ケーシング部材７２の側壁の厚みＷ４よりも大きくなっている（Ｗ３＞Ｗ４）。
したがって、図１１に示すように、下側ケーシング部材７２の下方ピン係合穴７２ａ及び上方ピン係合穴７２ｂのそれぞれが、投影面Ｓ３，Ｓ４のそれぞれを形成することができるということは、各係合穴７２ａ，７２ｂに係合する各機械的係合ピン５８，６０が下側ケーシング部材７２に対して鉛直方向（中心軸線Ａ１方向）に移動しようとした際に、下側ケーシング部材７２の各係合穴７２ａ，７２ｂの内周面が、各機械的係合ピン５８，６０との機械的係合が可能な面を形成していること当然であるが、各機械的係合ピン５８，６０を介しながら、台座部材１６及び一次側アダプタ部材５０のそれぞれとの機械的係合が可能な面を形成していることにもなる。
【００４２】
つぎに、図８及び図９に示すように、下側ケーシング部材７２と溶接される前の状態の上側ケーシング部材７４は、底部７４ａを備えており、その上方が開放された有底のカップ状の部材である。
また、図８及び図９に示すように、上側ケーシング部材７４は、その底部７４ａから上方にほぼ円筒状に延びるように形成されている。
さらに、上側ケーシング部材７４の上縁には、外側に突出するフランジ部７４ｂが形成されている。
例えば、このような有底のカップ状の上側ケーシング部材７４を成形する際には、金属製の薄板材について絞り加工等を行うことにより、外殻部材８の支柱部８ａ内に挿入可能な寸法で有底のカップ状に成形する。
すなわち、金属製の上側ケーシング部材７４を成形する際には、鋳型等を用いる鋳造加工は採用されていないため、水栓装置１の種類に応じた外殻部材８の形状毎に上側ケーシング部材７４の成形用の型を用意する必要がない。
【００４３】
つぎに、図６、図７及び図９に示すように、上側ケーシング部材７４の底部７４ａにおいて、湯側連通穴７４ｃ、水側連通穴７４ｄ、及び、取付穴７４ｅのそれぞれが穴開け加工により形成されている。
ちなみに、図６に示すように、上側ケーシング部材７４の底部７４ａの湯側連通穴７４ｃにより、その下方の一次側アダプタ部材５０の通湯穴５０ａと上方の弁座部材５２の通湯穴５２ａとが連通可能となっている。
また、図６及び図９に示すように、上側ケーシング部材７４の底部７４ａの水側連通穴７４ｄにより、その下方の一次側アダプタ部材５０の通水穴５０ｂと弁座部材５２の通水穴５２ｂとが連通可能となっている。
さらに、図７〜図９に示すように、上側ケーシング部材７４の底部７４ａの取付穴７４ｅにおいて、その上方の弁座部材５２の底面から下側に突出する突起５２ｃが挿入された後、その下方の一次側アダプタ部材５０の取付穴５０ｆに挿入されるようになっている。これにより、弁座部材５２が上側ケーシング部材７４の底部７４ａに固定されるようになっている。また、取付穴７４ｅは、弁座部材５２の湯水通過路５２ｐと一次側アダプタ部材５０の湯水通過路５０ｐとを連通させる機能も有している。
【００４４】
つぎに、図８及び図９に示すように、有底のカップ状の上側ケーシング部材７４の底部７４ａの外縁且つ下縁部分が下側ケーシング部材７２の上方開口縁部７２ｃ内に挿入された状態で、この上側ケーシング部材７４の底部７４ａの外縁且つ下縁部分と下側ケーシング部材７２の上方開口縁部７２ｃとが互いに溶接加工される。これにより、下側ケーシング部材７２の上端と上側ケーシング部材７４の下端とが互いに一体的に接続されるようになっている。
【００４５】
つぎに、図８及び図９に示すように、上側ケーシング部材７４と溶接される前の状態の上部円環部材７６は、外殻部材８の支柱部８ａ内に挿入可能な寸法で金属製の板材又は管材によってほぼ円環状に形成されている。
例えば、ほぼ円環状の金属製の上部円環部材７６を成形する際には、予め外殻部材８の支柱部８ａ内に挿入可能な寸法径の金属製の管材を用意し、この管材について切断加工又は切削加工を行うことにより、外殻部材８の支柱部８ａ内に挿入可能な軸方向の長さ寸法に調整する。
すなわち、金属製の上部円環部材７６を成形する際には、鋳型等を用いる鋳造加工は採用されていないため、水栓装置１の種類に応じた外殻部材８の形状毎に上部円環部材７６の成形用の型を用意する必要がない。
【００４６】
つぎに、図８及び図９に示すように、上部円環部材７６の内周面において、雌ねじ加工により雌ねじ７６ａが形成されている。
また、図６及び図７に示すように、上部円環部材７６の雌ねじ７６ａにより、カートリッジ押さえ部材５６の外周面に形成された雄ねじ５６ａが螺合可能であり、カートリッジ押さえ部材５６がケーシング部材４０の上端部（上部円環部材７６）に対して固定されるようになっている。
このような雌ねじ加工の後、図８及び図９に示すように、上部円環部材７６の下縁部分と上側ケーシング部材７４のフランジ部７４ｂの外縁部分とが互いに溶接加工され、上側ケーシング部材７４の上端と上部円環部材７６の下端とが互いに一体的に接続されている。
なお、本実施形態の水栓装置１では、上部円環部材７６の内周面に雌ねじ７６ａを形成して雌側部材とし、カートリッジ押さえ部材５６の外周面に雄ねじ５６ａを形成して雄側部材として互いに螺合させる形態を採用している。しかしながら、このような形態に限られず、上部円環部材７６の外周面に雄ねじを形成して雄側部材とし、カートリッジ押さえ部材５６の内周面に雌ねじを形成して雌側部材として互いに螺合させる形態を採用してもよい。
【００４７】
つぎに、図４及び図７に示すように、一次側アダプタ部材５０は、機械的係合ピン６０により下側ケーシング部材７２内の上方に保持されており、弁座部材５２は、上側ケーシング部材７４内の底部７４ａに保持されている。
また、図７に示すように、概ね円柱状の一次側アダプタ部材５０の外径Ｄ１は、弁座部材５２の外径Ｄ２よりも大きく設定されている（Ｄ１＞Ｄ２）。
【００４８】
つぎに、図７に示すように、上側ケーシング部材７４内の弁座部材５２の上方には、シングルレバーカートリッジ５４が配置されている。
また、図７に示すように、シングルレバーカートリッジ５４の上方において、カートリッジ押さえ部材５６の雄ねじ５６ａが上部円環部材７６の雌ねじ７６ａに螺合されることにより、シングルレバーカートリッジ５４が上側ケーシング部材７４内の弁座部材５２の上方において押圧された状態で保持されている。すなわち、カートリッジ押さえ部材５６は、シングルレバーカートリッジ５４を弁座部材５２に固定する固定部材となる。
このとき、図７に示すように、シングルレバーカートリッジ５４の湯水供給路５４ｆの流出口５４ｇは、上側ケーシング部材７４の底部７４ａの取付穴７４ｅを介して弁座部材５２の湯水通過路５２ｐに対向し、当該湯水通過路５２ｐ及び一次側アダプタ部材５０の湯水通過路５０ｐを介して、ケーシング部材４０の内部と連通している。
また、図７に示すように、ケーシング部材４０外周面とその外側の支柱部８ａの内周面との間に、筒状の二次側流路７８が形成されている。シングルレバーカートリッジ５４の湯水供給路５４ｆから流出する湯水は、流出口５４ｇ、弁座部材５２の湯水通過路５２ｐ、一次側アダプタ部材５０の湯水通過路５０ｐ、ケーシング部材４０の内部、ケーシング部材４０の開口部Ｇ１、及び、ケーシング部材４０の周囲の二次側流路７８を介して、二次側アダプタ部材６４の流路６４ａへと導かれ、スパウト側流路形成部材６８内のスパウト流路６８ａに流出するようになっている。
【００４９】
つぎに、上述した本発明の第１実施形態による水栓装置１の作用について、水栓装置１の組立方法や加工方法を交えながら説明する。
【００５０】
まず、本実施形態による水栓装置１によれば、この水栓装置１を組み立てる際、水栓装置１の種類に応じた形状に形成された外殻部材８の概ね筒状の支柱部８ａ内に対して、概ね円筒状の水栓機能ユニット１８が挿入される。
その際、予め、この水栓機能ユニット１８のケーシング部材４０において、台座部材保持用の機械的係合ピン５８及び一次側アダプタ部材保持用の機械的係合ピン６０のそれぞれを介して、台座部材１６及び一次側アダプタ部材５０のそれぞれを保持することができる。これにより、台座部材１６と一次側アダプタ部材５０とをケーシング部材４０を介して軸方向に接続することができる。
また、金属製のケーシング部材４０により、水栓装置１の種類に応じた形状の外殻部材８に応じて、その支柱部８ａ内の台座部材１６と一次側アダプタ部材５０との間の軸方向のスペースや距離寸法を定めることができると共に、外殻部材８の支柱部８ａ内に挿入されている水栓機能ユニット１８等の内部構造の強度を高めることができる。
さらに、金属製のケーシング部材４０については、水栓装置１の種類に応じた形状の外殻部材８の支柱部８ａ内に挿入可能に金属製の板材又は管材によって概ね円筒状に形成することができる。
これにより、ケーシング部材４０が樹脂材料で射出成形された場合や金属材料で鋳造成形された場合に比べて、水栓装置１の種類に応じた外殻部材８の形状毎にケーシング部材４０の成形用の型を用意する必要がないため、比較的安価な加工方式でケーシング部材４０の寸法や形状を容易に調整することができる。
また、ケーシング部材４０が金属製の板材又は管材によって概ね円筒状に形成されるため、ケーシング部材４０について、必要な強度を保ちながら、薄く形成することもできる。これにより、水栓装置１の内部寸法を抑制することができる。
さらに、水栓装置１の種類に応じた様々な形状の外殻部材８に対しても、ある程度共通化させたケーシング部材４０を用意しておけば、このケーシング部材４０の一部に切断加工等を施すだけで、比較的安価な加工方式で所望の軸方向の寸法に調整することができる。これにより、台座部材１６と一次側アダプタ部材５０との間のケーシング部材４０の軸方向の寸法距離についても、ケーシング部材４０の軸方向の寸法に応じて自由に設定することができる。また、軸方向の寸法を調整した状態のケーシング部材４０を外殻部材８の支柱部８ａ内に挿入するだけで、簡単に組み付けることができる。
これらの結果、水栓装置１の設計の自由度を向上させることができると共に、製造コストを抑制することができる。
【００５１】
そして、本実施形態による水栓装置１によれば、シングルレバーカートリッジ５４の下端側に、可動弁体５４ｂ（開閉弁）から湯水が供給される湯水供給路５４ｆの流出口５４ｇが開口しており、接続部材である弁座部材５２及び一次側アダプタ部材５０に、それらの各々の上端側から下端側まで貫通する湯水通過路５２ｐ、５０ｐが形成されている。これにより、シングルレバーカートリッジ５４から一次側アダプタ部材５０の下方側のケーシング部材４０の内部まで十分な流量の湯水を案内する場合でも弁座部材５２及び一次側アダプタ部材５０を迂回する流路を設ける必要がなく、細い水栓装置１を高い自由度で設計することができる。
【００５２】
また、本実施形態による水栓装置１によれば、ケーシング部材４０と外殻部材８の支柱部８ａとの間に筒状の二次側流路７８が形成されており、ケーシング部材４０の一部に、一次側アダプタ部材５０の湯水通過路５０ｐと二次側流路７８とを連通させるための開口部Ｇ１が設けられている。
これにより、シングルレバーカートリッジ５４から一次側アダプタ部材５０の下方側にまで案内された湯水を、筒状の二次側流路７８を介して、外殻部材８の支柱部８ａの側面に設けられたスパウト部８ｂの方へ更に導くことが容易である。
【００５３】
また、本実施形態による水栓装置１によれば、筒状の二次側流路７８の上側を封止する環状の上方シール部材２８と、筒状の二次側流路７８の下側を封止する環状の下方シール部材２２と、が更に設けられている。
これにより、筒状の二次側流路７８を高い自由度で設計することができ、特に、スパウト部８ｂの配置等を高い自由度で設計することができる。また、支柱部８ａに対してスパウト部８ｂが回転する態様等の採用についても、高い自由度で設計することができる。
【００５４】
また、本実施形態による水栓装置１によれば、下方シール部材２２は、台座部材１６と外殻部材８の支柱部８ａとの間であって軸方向にケーシング部材４０より下方側の位置に配置されている。
これにより、ケーシング部材４０の下方側の領域の周り全体を、筒状の二次側流路７８として利用することができる。
【００５５】
また、本実施形態による水栓装置１によれば、外殻部材８の支柱部８ａが規定する機能部収容空間が、軸方向に上方シール部材２８が配置される位置及び当該位置より上方の領域において、縮径されている。
これにより、ケーシング部材４０及び上方シール部材２８に対して、外殻部材８の支柱部８ａをその下方端の方から被せていく（逆に言えば、外殻部材８の支柱部８ａ内にケーシング部材４０及び上方シール部材２８をその上方端から挿入していく）作業が容易である。
【００５６】
また、本実施形態による水栓装置１によれば、金属製の板材又は管材によって概ね円筒状に形成されていて当初凹凸がない滑らかな状態である下側ケーシング部材７２であっても、機械的係合手段として、下側ケーシング部材７２の側部について曲げ加工又は穴開け加工が施されることにより、下方ピン係合穴７２ａ及び上方ピン係合穴７２ｂをそれぞれ形成することができる。
また、図１０及び図１１に示すように、下側ケーシング部材７２の各係合穴７２ａ，７２ｂは、その内周面を下側ケーシング部材７２の軸方向（中心軸線Ａ１の方向）に対して垂直な面Ｓ０に投影させることにより、投影面Ｓ１〜Ｓ４をそれぞれ形成可能であり、台座部材１６や一次側アダプタ部材５０が下側ケーシング部材７２に対して軸方向（中心軸線Ａ１の方向）に相対的に移動しようとした際に台座部材１６や一次側アダプタ部材５０との機械的係合が可能な面を形成することができる。
すなわち、図１０及び図１１に示すように、下側ケーシング部材７２の各係合穴７２ａ，７２ｂを下側ケーシング部材７２の軸方向（中心軸線Ａ１の方向）に対して垂直な面Ｓ０に投影させることにより投影面Ｓ１〜Ｓ４を形成することができるということは、台座部材１６や一次側アダプタ部材５０が下側ケーシング部材７２に対して軸方向（中心軸線Ａ１の方向）に相対的に移動しようとした際に、下側ケーシング部材７２の各係合穴７２ａ，７２ｂが、各機械的係合ピン５８，６０を介して台座部材１６や一次側アダプタ部材５０との機械的係合を可能にする面を形成することができることにもなる。
したがって、このような投影面Ｓ１〜Ｓ４を形成可能な下側ケーシング部材７２の各係合穴７２ａ，７２ｂにより、下側ケーシング部材７２が台座部材１６や一次側アダプタ部材５０を保持することができるようになる。
これらの結果、下側ケーシング部材７２の下方ピン係合穴７２ａ、台座部材保持用の機械的係合ピン５８、及び、台座部材１６の係合穴１６ｅは、下側ケーシング部材７２が機械的係合により台座部材１６を保持可能にする機械的係合手段として機能する。
さらに、下側ケーシング部材７２の上方ピン係合穴７２ｂ、一次側アダプタ部材保持用の機械的係合ピン６０、及び、一次側アダプタ部材５０の係合穴５０ｅは、下側ケーシング部材７２が機械的係合により一次側アダプタ部材５０を保持可能にする機械的係合手段として機能する。
これらにより、金属製の板材又は管材によって概ね円筒状に形成されているケーシング部材４０であっても、このケーシング部材４０が、台座部材１６及び一次側アダプタ部材５０を確実に保持することができる。
【００５７】
さらに、本実施形態による水栓装置１によれば、図６に示すように、特に、湯供給管４４内を流れる湯の熱量等により、湯供給管４４やその周辺の水供給管４６、或いは、湯供給管４４の各被接続部４４ａ，４４ｂ及び水供給管４６の各被接続部４６ａ，４６ｂにおいて、熱膨張が生じることにより軸方向に移動することがある。
これに対し、本実施形態の水栓装置１では、図６に示すように、湯供給管４４の各被接続部４４ａ，４４ｂ及び水供給管４６の各被接続部４６ａ，４６ｂが、台座部材１６の各接続受け部１６ｃ，１６ｄ及び一次側アダプタ部材５０の各接続受け部５０ｃ，５０ｄにおける各クリアランスｄ１〜ｄ４の範囲内で水密状態を保ちながら移動することができる。これにより、熱膨張による湯供給管４４の各被接続部４４ａ，４４ｂ及び水供給管４６の各被接続部４６ａ，４６ｂの移動を吸収することができる。
【００５８】
また、本実施形態による水栓装置１によれば、図７に示すように、上側ケーシング部材７４の底部７４ａ上にシングルレバーカートリッジ５４を配置することができる。これにより、有底の上側ケーシング部材７４でシングルレバーカートリッジ５４を確実に保持することができる。
【００５９】
さらに、本実施形態による水栓装置１によれば、図７に示すように、例えば、平面断面の大きさが比較的小さく設定されたシングルレバーカートリッジ５４が用いられた場合において、このシングルレバーカートリッジ５４が接続される弁座部材５２の平面断面の大きさ（外径Ｄ２）について比較的小さく設定された場合であっても、一次側アダプタ部材５０の外径Ｄ１を弁座部材５２の外径Ｄ２よりも大きく設定することができる（Ｄ１＞Ｄ２）。
したがって、一次側アダプタ部材５０において、湯供給管４４及び水供給管４６のそれぞれが軸方向に接続されるスペースを十分に確保することができる。
【００６０】
また、本実施形態による水栓装置１によれば、接続部材である一次側アダプタ部材５０及び弁座部材５２が樹脂材料で形成されている。これにより、安価で且つ軽量な一次側アダプタ部材５０及び弁座部材５２を提供することができると共に、浸出性能についても確保することができる。
【００６１】
さらに、本実施形態による水栓装置１によれば、有底状の上側ケーシング部材７４を形成する際に、金属製の板材について絞り加工が行われることにより、溶接等による継ぎ目箇所がない状態で、有底のカップ状に一体的に形成することができる。
これにより、上側ケーシング部材７４に保持されるシングルレバーカートリッジ５４の周辺の水により上側ケーシング部材７４の溶接等の継ぎ目箇所が接水されるおそれがない。
したがって、金属製の上側ケーシング部材７４が腐食されるリスクを軽減することができる。
【００６２】
なお、上述した本実施形態による水栓装置１においては、湯供給管４４及び水供給管４６のそれぞれが、その下方の台座部材１６に対して別部材である形態について説明したが、湯供給管４４及び水供給管４６のそれぞれについては、台座部材１６に対して一体に設けられていてもよい。
また、本実施形態による水栓装置１においては、湯供給管４４及び水供給管４６のそれぞれが互いに別部材である形態について説明したが、各供給管４４，４６内の各流路（湯供給流路、水供給流路）が互い独立した流路であれば、湯供給管４４及び水供給管４６のそれぞれが互いに一体に設けられた形態であってもよい。
【００６３】
つぎに、図１２及び図１３を参照して、本発明の第２実施形態による水栓装置について説明する。
図１２は、本発明の第２実施形態による水栓装置のケーシング部材の分解斜視図である。また、図１３は、図１２のＸＩＩＩ−ＸＩＩＩ線に沿った断面図である。
ここで、図１２及び図１３に示す本発明の第２実施形態による水栓装置１００のケーシング部材１４０において、図８及び図９に示す本発明の第１実施形態による水栓装置１のケーシング部材４０と同一部分については同一の符号を付し、これらの説明については省略する。
【００６４】
まず、図１２及び図１３に示すように、本発明の第２実施形態による水栓装置１００のケーシング部材１４０は、下方から上方に向って、下側ケーシング部材１７２、中間ケーシング部材１７４、上側ケーシング部材７４、及び、上部円環部材７６をそれぞれ備えている。
すなわち、図１２及び図１３に示す本実施形態の水栓装置１００のケーシング部材１４０おいては、上述した本発明の第１実施形態による水栓装置１のケーシング部材４０の下側ケーシング部材７２に相当する部材が、概ね円筒状の下側ケーシング部材１７２及び中間ケーシング部材１７４の二つの金属製の部材となっている点で異なった構造となっている。
また、これらの下側ケーシング部材１７２及び中間ケーシング部材１７４の金属材料としては、耐食性が比較的高く、耐久性や強度等も比較的高いステンレス材料（例えば、ＳＵＳ３０４等）等が用いられている。
しかしながら、本実施形態による水栓装置１００の金属製のケーシング部材１４０に用いられる金属材料については、耐食性が比較的高く、耐久性や強度等も比較的高い材料であれば、ステンレス材料以外の他の金属材料であってもよい。
そして、図１２及び図１３に示すように、下側ケーシング部材１７２の上縁部１７２ａの外周面と中間ケーシング部材１７４の下方開口端部１７４ａの内周面とは、溶接加工等により互いに一体的に接続されている。
さらに、図１２及び図１３に示すように、中間ケーシング部材１７４の上方開口端部１７４ｂの内周面と有底の上側ケーシング部材７４の底部７４ａの外周面とは、溶接加工等により互いに一体的に接続されている。
【００６５】
ここで、図１２に示すように、中間ケーシング部材１７４と溶接される前の下側ケーシング部材１７２においては、外殻部材８の支柱部８ａ内に挿入可能な寸法で金属製の板材又は管材によって、その横断面視の形状が概ねＣ字形形状に形成されている。これにより、この下側ケーシング部材１７２の両側縁部１７２ｂ，１７２ｃ同士は、互いに周方向に所定間隔ｄ１０１［ｍｍ］となるように形成されている。
例えば、金属製の下側ケーシング部材１７２を成形する際には、金属製の薄板材について、ロール成形等の曲げ加工を行うことにより湾曲状に成形し、最終的には、外殻部材８の支柱部８ａ内に挿入可能な寸法で、その横断面視の形状が概ねＣ字形形状に形成する。
或いは、予め外殻部材８の支柱部８ａ内に挿入可能な寸法径の金属製の管材を用意し、この管材について、切断加工又は切削加工を行うことにより、外殻部材８の支柱部８ａ内に挿入可能な軸方向の長さ寸法に調整すると共に、下側ケーシング部材１７２の側縁部１７２ｂ，１７２ｃ同士の周方向に所定間隔がｄ１０１［ｍｍ］となるように、この所定間隔ｄ１０１とほぼ同一寸法の溝幅の縦溝Ｇ１０１を成形する。
この縦溝Ｇ１０１が、ケーシング部材１４０の内部と二次側流路７８とを連通させる開口部として機能する。
すなわち、金属製の下側ケーシング部材１７２を成形する際には、鋳型等を用いる鋳造加工は採用されていないため、水栓装置１００の種類に応じた外殻部材８の形状毎に下側ケーシング部材１７２の成形用の型を用意する必要がない。
【００６６】
つぎに、図１２及び図１３に示すように、下側ケーシング部材１７２の側面の下方において、穴開け加工等により径方向に貫く下方係合穴１７２ｄが周方向に間隔を置いて複数形成されている。
これにより、図１２及び図１３に示すように、台座部材保持用の機械的係合ピン５８は、下方係合穴１７２ｄに対して外側から挿入されることにより下方係合穴１７２ｄに係合した後、その内側端部が台座部材１６の側面の係合穴１６ｅに係合するようになっている。
したがって、これらの下側ケーシング部材１７２の下方係合穴１７２ｄ、台座部材保持用の機械的係合ピン５８、及び、台座部材１６の係合穴１６ｅは、下側ケーシング部材１７２が機械的係合により台座部材１６を保持可能にする機械的係合手段として機能するようになっている。
【００６７】
つぎに、図１２及び図１３に示すように、上側ケーシング部材７４と溶接される前の状態の中間ケーシング部材１７４についても、外殻部材８の支柱部８ａ内に挿入可能な寸法で金属製の板材又は管材によってほぼ円筒状に形成されている。
例えば、ほぼ円筒状の金属製の中間ケーシング部材１７４を成形する際には、金属製の薄板材について、ロール成形等の曲げ加工を行うことにより湾曲状に成形し、最終的には、外殻部材８の支柱部８ａ内に挿入可能な寸法でほぼ円筒状に形成する。
或いは、予め外殻部材８の支柱部８ａ内に挿入可能な寸法径の金属製の管材を用意し、この管材について、切断加工又は切削加工を行うことにより、外殻部材８の支柱部８ａ内に挿入可能な軸方向の長さ寸法に調整する。
すなわち、金属製の中間ケーシング部材１７４を成形する際には、鋳型等を用いる鋳造加工は採用されていないため、水栓装置１の種類に応じた外殻部材８の形状毎に中間ケーシング部材１７４の成形用の型を用意する必要がない。
【００６８】
つぎに、図１２及び図１３に示すように、中間ケーシング部材１７４の側面においても、穴開け加工等により径方向に貫く係合穴１７４ｃが周方向に複数形成されている。
これにより、図１２及び図１３に示すように、一次側アダプタ部材保持用の機械的係合ピン６０は、係合穴１７４ｃに対して外側から挿入されることにより係合穴１７４ｃに係合した後、その内側端部が一次側アダプタ部材５０の側面の係合穴５０ｅに係合するようになっている。
したがって、これらの中間ケーシング部材１７４の係合穴１７４ｃ、一次側アダプタ部材保持用の機械的係合ピン６０、及び、一次側アダプタ部材５０の係合穴５０ｅは、下側ケーシング部材１７２が機械的係合により一次側アダプタ部材５０を保持可能にする機械的係合手段として機能するようになっている。
【００６９】
上述した本発明の第２実施形態による水栓装置１００によれば、下側ケーシング部材１７２がその横断面視において概ねＣ字形形状に形成されているため、下側ケーシング部材１７２を概ねＣ字形形状に形成する際に、金属製の板材について比較的に安価な曲げ加工で簡単に成形することができる。
また、比較的に安価な曲げ加工で成形される下側ケーシング部材１７２のみを変更することにより、水栓装置１の種類に応じた様々な形態のケーシング部材４０を用意することができるため、より一層のコストダウンを実現することもできる。
したがって、水栓装置１００の設計の自由度を向上させることができると共に、製造コストを抑制することができる。
【００７０】
つぎに、図１４及び図１５を参照して、本発明の第３実施形態による水栓装置について説明する。
図１４は、本発明の第３実施形態による水栓装置の中央側面断面図において、図７と同様に水栓機能ユニットの上方部分を拡大した部分拡大断面図である。また、図１５は、本発明の第３実施形態による水栓装置の水栓機能ユニットを分解した斜視断面図である。
ここで、図１４及び図１５に示す本発明の第３実施形態による水栓装置２００において、図４及び図７に示す本発明の第１実施形態による水栓装置１と同一部分については同一の符号を付し、これらの説明については省略する。
【００７１】
まず、図１４及び図１５に示すように、本発明の第３実施形態による水栓装置２００においては、水栓機能ユニット２１８のケーシング部材２４０及び接続部材２５０（一次側アダプタ部２５０Ａ、弁座部２５０Ｂ）のそれぞれの構造のみが、図４及び図７に示す本発明の第１実施形態による水栓装置１の水栓機能ユニット１８のケーシング部材４０及び接続部材（一次側アダプタ部材５０、弁座部材５２）のそれぞれの構造と異なっている。
具体的には、図１４及び図１５に示すように、本実施形態の水栓装置２００の水栓機能ユニット２１８のケーシング部材２４０においては、ほぼ円筒状の段付きケーシング部材２７２と、上部円環部材７６とをそれぞれ備えている。また、上部円環部材７６は、溶接加工により段付きケーシング部材２７２の上端部に一体的に接続されている。
すなわち、図１４及び図１５に示すように、上部円環部材７６が溶接される前の段付きケーシング部材２７２は、外殻部材８の支柱部８ａ内に挿入可能な寸法で金属製の板材又は管材によって円筒状に形成されており、有底形状ではない単一の部材である。
よって、段付きケーシング部材２７２は、第１実施形態による水栓装置１の円筒状の下側ケーシング部材７２と有底形状である上側ケーシング部材７４とが溶接加工により一体的に接続された部材とは異なっている。
また、図１４及び図１５に示すように、段付きケーシング部材２７２の上下方向の中間部には、金属製の板材又は管材について絞り加工等を行うことにより括れ（段部２７２ａ）が形成されている。これにより、接続部材２５０の段部２５０ａが段付きケーシング部材２７２の括れ（段部２７２ａ）に下側から当接しており、接続部材２５０がシール部材２５２を介して段付きケーシング部材２７２によって保持されるようになっている。
【００７２】
つぎに、図１４及び図１５に示すように、本実施形態の水栓装置２００の接続部材２５０においては、ポリフェニレンサルファイド（ＰＰＳ）等の樹脂材料で概ね円柱状に形成されている。
また、図１４及び図１５に示すように、接続部材２５０（一次側アダプタ部２５０Ａ、弁座部２５０Ｂ）は、互いに一体的に形成されている。すなわち、接続部材２５０は、本発明の第１実施形態による水栓装置１の一次側アダプタ部材５０及び弁座部材５２が互いに一体的に形成されたものに相当しており、第１実施形態による水栓装置１の一次側アダプタ部材５０及び弁座部材５２のそれぞれが別部材である形態とは異なっている。
ここで、図１４に示すように、接続部材２５０の段部２５０ａより下方の一次側アダプタ部２５０Ａの外径Ｄ２０１は、接続部材２５０の段部２５０ａより上方の弁座部２５０Ｂの外径Ｄ２０２よりも大きく設定されている（Ｄ２０１＞Ｄ２０２）。
さらに、図１４及び図１５に示すように、水栓機能ユニット２１８のケーシング部材２４０の内部において、各機械的係合ピン５８，６０が段付きケーシング部材２７２の上下の各ピン係合穴２７２ｂ，２７２ｃを介して台座部材１６の係合穴１６ｅ及び接続部材２５０の係合穴２５０ｂのそれぞれに係合することにより、台座部材１６及び接続部材２５０のそれぞれが段付きケーシング部材２７２によって保持されている。
したがって、これらの段付きケーシング部材２７２の各ピン係合穴２７２ｂ，２７２ｃ、各機械的係合ピン５８，６０、台座部材１６の係合穴１６ｅ、及び、接続部材２５０の係合穴２５０ｂのそれぞれは、段付きケーシング部材２７２が機械的係合により台座部材１６及び接続部材２５０を保持可能にする機械的係合手段として機能するようになっている。
【００７３】
つぎに、図１４及び図１５に示すように、ケーシング部材２４０の内部の接続部材２５０において、その通湯穴２５０ｃ及び通水穴２５０ｄのそれぞれの下端側（上流側）は、各軸シール部材４８ａ，４８ｂを介して各供給管４４，４６に水密に接続されており、いわゆる、軸シールされている。
一方、図１４及び図１５に示すように、接続部材２５０の通湯穴２５０ｃ及び通水穴２５０ｄのそれぞれの上端側（下流側）は、シングルレバーカートリッジ５４の固定弁体５４ａの通湯路５４ｄ及び通水路５４ｅのそれぞれに水密に接続され、いわゆる、面シールされている。
【００７４】
さらに、図１４及び図１５に示すように、シングルレバーカートリッジ５４の湯水供給路５４ｆは、シングルレバーカートリッジ５４の下端面において流出口５４ｇとして開口しており、接続部材２５０の湯水通過路２５０ｐを介して、ケーシング部材２４０の内部と連通している。
そして、前述のように、外殻部材８とケーシング部材２４０との間に概ね筒状の二次側流路７８が形成されている。また、ケーシング部材２４０の一部に、ケーシング部材２４０の内部と二次側流路７８とを連通させる開口部Ｇ２０１が設けられている。これにより、シングルレバーカートリッジ５４の湯水供給路５４ｆから供給される湯水は、流出口５４ｇ、接続部材２５０の湯水通過路２５０ｐ、ケーシング部材２４０の内部、開口部Ｇ２０１及び二次側流路７８を介して、二次側アダプタ部材６４の流路６４ａへと導かれるようになっている。
【００７５】
図１４及び図１５に示すように、上述した本発明の第３実施形態による水栓装置２００によれば、この水栓装置２００を組み立てる際、水栓装置２００の種類に応じた形状に形成された外殻部材８の概ね筒状の支柱部８ａ内に対して、概ね円筒状の水栓機能ユニット２１８が挿入される。
その際、予め、この水栓機能ユニット２１８のケーシング部材２４０において、機械的係合ピン５８，６０を介して、台座部材１６及び接続部材２５０を保持することができる。これにより、台座部材１６と接続部材２５０とをケーシング部材２４０を介して軸方向に接続することができる。
また、金属製のケーシング部材２４０により、水栓装置２００の種類に応じた形状の外殻部材８に応じて、その支柱部８ａ内の台座部材１６と接続部材２５０との間の軸方向のスペースや距離寸法を定めることができると共に、外殻部材８の支柱部８ａ内に挿入されている水栓機能ユニット２１８等の内部構造の強度を高めることができる。
さらに、金属製のケーシング部材２４０については、水栓装置２００の種類に応じた形状の外殻部材８の支柱部８ａ内に挿入可能に金属製の板材又は管材によって概ね円筒状に形成することができる。
これにより、ケーシング部材２４０が樹脂材料で射出成形された場合や金属材料で鋳造成形された場合に比べて、水栓装置１の種類に応じた外殻部材８の高さ毎にケーシング部材２４０の成形用の型を用意する必要がないため、比較的安価な加工方式でケーシング部材２４０の寸法や形状を容易に調整することができる。
また、ケーシング部材２４０の段付きケーシング部材２７２が金属製の板材又は管材によって概ね円筒状に形成されるため、ケーシング部材２４０について、必要な強度を保ちながら、薄く形成することもできる。これにより、水栓装置２００の内部寸法を抑制することができる。
さらに、水栓装置２００の種類に応じた様々な形状の外殻部材８に対しても、ある程度共通化させたケーシング部材２４０を用意しておけば、このケーシング部材２４０を切断加工等の比較的安価な加工方式で所望の軸方向の寸法に調整することができる。これにより、台座部材１６と接続部材２５０との間のケーシング部材２４０の軸方向の寸法距離についても、ケーシング部材２４０の軸方向の寸法に応じて自由に設定することができる。また、軸方向の寸法を調整した状態のケーシング部材２４０を外殻部材８の支柱部８ａ内に挿入するだけで、簡単に組み付けることができる。
これらの結果、水栓装置２００の設計の自由度を向上させることができると共に、製造コストを抑制することができる。
【００７６】
また、本実施形態による水栓装置２００によれば、段付きケーシング部材２７２の段部２７２ａ、各ピン係合穴２７２ｂ，２７２ｃ、機械的係合ピン５８，６０、台座部材１６の係合穴１６ｅ、及び、接続部材２５０の係合穴２５０ｂのそれぞれは、段付きケーシング部材２７２が機械的係合により台座部材１６及び接続部材２５０を保持可能にする機械的係合手段として機能する。
これらにより、金属製の板材又は管材によって概ね円筒状に形成されているケーシング部材２４０であっても、このケーシング部材２４０が、台座部材１６及び接続部材２５０を確実に保持することができる。
【００７７】
さらに、本実施形態による水栓装置２００によれば、図１４に示すように、例えば、平面断面の大きさが比較的小さく設定されたシングルレバーカートリッジ５４が用いられた場合において、このシングルレバーカートリッジ５４が接続される接続部材２５０の弁座部２５０Ｂの平面断面の大きさ（外径Ｄ２０２）について比較的小さく設定された場合であっても、接続部材２５０の一次側アダプタ部２５０Ａの外径Ｄ２０１を弁座部２５０Ｂの外径Ｄ２０２よりも大きく設定することができる（Ｄ２０１＞Ｄ２０２）。
したがって、接続部材２５０の一次側アダプタ部２５０Ａにおいて、湯供給管４４及び水供給管４６のそれぞれが軸方向に接続されるスペースを十分に確保することができる。
【００７８】
なお、上述した本発明の第１実施形態〜第３実施形態による水栓装置１，１００，２００，３００に用いられる金属製のケーシング部材４０，１４０，２４０，３４０においては、外殻部材８の支柱部８ａ内に挿入可能な寸法で金属製の板材又は管材によって概ね円筒形状に形成されている形態について説明した。
しかしながら、本実施形態では、金属製のケーシング部材の形状については、必ずしも全周に亘って連続的に形成された完全な円筒形状に限られず、半円筒形状であってもよいし、この半円筒よりも周方向に延びて且つ完全な円筒未満の形状や、半円筒未満の形状等であってもよい。要するに、金属製のケーシング部材の形状については、少なくとも半円筒形状に形成された形状であってもよいし、半円筒未満の板形状であってもよい。
【符号の説明】
【００７９】
１        本発明の第１実施形態による水栓装置
２        操作ハンドル
４        スパウト
６        吐水口
８        外殻部材
８ａ      支柱部
８ｂ      スパウト部
８ｃ      カバー部
１０        湯供給管（一次側流路）
１２        水供給管（一次側流路）
１４        固定金具
１４ａ      把持金具
１４ｂ      締結金具
１６        台座部材
１６ａ      通湯穴
１６ｂ      通水穴
１６ｃ      湯側接続受け部
１６ｄ      水側接続受け部
１６ｅ      係合穴
１８        水栓機能ユニット
１９        機能部ユニット
２２        下方シール部材
２６        下側上方シール保持部材
２８        上方シール部材
３０        上側上方シール保持部材
３２        Ｃリング
３６        固定部材
３８        留め具
３８ａ      ビス
３８ｂ      キャップ
４０        ケーシング部材
４２        軸シール部材
４２ａ      湯側軸シール部材
４２ｂ      水側軸シール部材
４４        湯供給管（一次側流路、湯供給流路）
４４ａ      下側被接続部（被接続部）
４４ｂ      上側被接続部（被接続部）
４６        水供給管（一次側流路、水供給流路）
４６ａ      下側接続部
４６ｂ      上側接続部
４８        軸シール部材
４８ａ      湯側軸シール部材
４８ｂ      水側軸シール部材    
５０        一次側アダプタ部材（接続部材）
５０ａ      通湯穴
５０ｂ      通水穴
５０ｃ      湯側接続部
５０ｄ      水側接続部
５０ｅ      係合穴
５０ｆ      取付穴
５０ｐ      湯水通過路
５２        弁座部材（接続部材）
５２ａ      通湯穴
５２ｂ      通水穴
５２ｃ      突起
湯水通過路
５４        シングルレバーカートリッジ
５４ａ      シングルレバーカートリッジの固定弁体
５４ｂ      シングルレバーカートリッジの可動弁体（開閉弁）
５４ｃ      シングルレバーカートリッジのレバー
５４ｄ      シングルレバーカートリッジ内の通湯路（一次側流路）
５４ｅ      シングルレバーカートリッジ内の通水路（一次側流路）
５４ｆ      シングルレバーカートリッジ内の湯水供給路（二次側流路）
５４ｇ      シングルレバーカートリッジの湯水混合路の流出口
５６        カートリッジ押さえ部材（固定部材）
５６ａ      雄ねじ
５８        台座部材保持用の機械的係合ピン（第２機械的係合手段）
６０        一次側アダプタ部材保持用の機械的係合ピン（機械的係合手段、第１機械的係合手段）
６２        挿入孔
６４        二次側アダプタ部材
６４ａ      開口部
６８        スパウト側流路形成部材
６８ａ      スパウト流路
７０        吐水口形成部材
７２        下側ケーシング部材
７２ａ      下方ピン係合穴（機械的係合手段、第２係合部）
７２ｂ      上方ピン係合穴（機械的係合手段、第１係合部）
７２ｃ      上方開口縁部
７４        上側ケーシング部材
７４ａ      上側ケーシング部材の底部（上側ケーシング部材の底面）
７４ｂ      上側ケーシング部材のフランジ部
７４ｃ      上側ケーシング部材の底部の湯側連通穴
７４ｄ      上側ケーシング部材の底部の水側連通穴
７４ｅ      上側ケーシング部材の底部の取付穴
７６        上部円環部材
７６ａ      雌ねじ
７８        二次側流路
１００        本発明の第２実施形態による水栓装置
１４０        ケーシング部材
１７２        下側ケーシング部材
１７２ａ      上縁部
１７２ｂ      側縁部
１７２ｃ      側縁部
１７２ｄ      下方係合穴
１７４        中間ケーシング部材
１７４ａ      下方開口端部
１７４ｂ      下方開口端部
１７４ｃ      係合穴
２００        本発明の第３実施形態による水栓装置
２１８        水栓機能ユニット
２４０        ケーシング部材
２５０        接続部材
２５０Ａ      一次側アダプタ部
２５０Ｂ      弁座部
２５０ａ      段部
２５０ｂ      係合穴
２５０ｃ      通湯穴
２５０ｂ      通水穴
２５０ｐ      湯水通過路
２５２        シール部材
２７２        段付きケーシング部材
２７２ａ      段部
２７２ｂ      下方ピン係合穴
２７２ｃ      上方ピン係合穴
２７２ｄ      流出穴
Ａ１      回転中心軸線、下側ケーシング部材の軸方向の中心軸線
Ａ２      下側ケーシング部材の径方向
Ａ３      下側ケーシング部材の径方向における内側方向
Ｂ１      下側ケーシング部材の側壁の一部分
Ｄ１      一次側アダプタ部材の外径
Ｄ２      弁座部材の外径
Ｄ２０１  接続部材の一次側アダプタ部の外径
Ｄ２０２  接続部材の弁座部の外径
ｄ１      クリアランス
ｄ２      クリアランス
ｄ３      クリアランス
ｄ４      クリアランス
ｄ１０１  間隔
Ｆ１      設置面
ｆ１      せん断力
ｆ２      曲げ力
Ｇ１      開口部
Ｇ１０１  縦溝（開口部）
Ｇ２０１  開口部
Ｐ４０１  一次側アダプタ部材の取付位置
Ｐ５０１  一次側アダプタ部材の取付位置
Ｐ６０１  一次側アダプタ部材の取付位置
Ｐ５０１  一次側アダプタ部材の取付位置
Ｑ１      下方ピン係合穴（又は上方ピン係合穴）の内周面上の任意の点
Ｑ２      下方ピン係合穴（又は上方ピン係合穴）の内周面上の任意の点
Ｑ３      下方ピン係合穴（又は上方ピン係合穴）の内周面上の任意の点
Ｑ４      下方ピン係合穴（又は上方ピン係合穴）の内周面上の任意の点
Ｓ０      下側ケーシング部材の軸方向の中心軸線に対して垂直な任意の仮想平面
Ｓ１      投影面（第２投影面）
Ｓ２      投影面（第１投影面）
Ｗ１      投影面の幅
Ｗ２      下側ケーシング部材の側壁の厚み
Ｗ３      投影面の幅
Ｗ４      下側ケーシング部材の側壁の厚み
【図１】
2020007851.tif 000003
【図２】
2020007851.tif 000004
【図３】
2020007851.tif 000005
【図４】
2020007851.tif 000006
【図５】
2020007851.tif 000007
【図６】
2020007851.tif 000008
【図７】
2020007851.tif 000009
【図８】
2020007851.tif 000010
【図９】
2020007851.tif 000011
【図１０】
2020007851.tif 000012
【図１１】
2020007851.tif 000013
【図１２】
2020007851.tif 000014
【図１３】
2020007851.tif 000015
【図１４】
2020007851.tif 000016
【図１５】
2020007851.tif 000017